(57)【要約】【課題】  本発明は魚釣用電動リールに係り、リール全体を保持し易く、また、保持した状態でクラッチ切換え部材の切換え操作が容易な魚釣用電動リールを提供することを目的とする。【解決手段】  リール本体の枠体の左右の側枠に取り付く側板間にスプールを回転自在に支持し、該スプールを巻取り駆動するスプールモータを、スプール前方の側枠間に設けたモータ収容部に収容すると共に、リール本体の上部に制御ボックスを設け、該制御ボックスの操作パネル上に表示器を備えた魚釣用電動リールに於て、前記操作パネル上の表示器の後方に、リール本体を保持する手の指が載置できる凹状の指載置部を設けたことを特徴とする。【選択図】    図１
2008079621.tif 000002
【特許請求の範囲】
【請求項１】
リール本体の枠体の左右の側枠に取り付く側板間にスプールを回転自在に支持し、該スプールを巻取り駆動するスプールモータを、スプール前方の側枠間に設けたモータ収容部に収容すると共に、
リール本体の上部に制御ボックスを設け、該制御ボックスの操作パネル上に表示器を備えた魚釣用電動リールに於て、
前記操作パネル上の表示器の後方に、リール本体を保持する手の指が載置できる凹状の指載置部を設けたことを特徴とする魚釣用電動リール。
【請求項２】
前記リール本体のスプール後方の側板間に、スプールへの巻取り動力伝達状態を切り換えるクラッチ機構のクラッチ切換え部材を、下方へ押圧操作可能に装着したことを特徴とする請求項１に記載の魚釣用電動リール。
【発明の詳細な説明】
【技術分野】
【０００１】
本発明は、リール本体に回転自在に取り付くスプールを巻取り駆動するスプールモータを備えた魚釣用電動リールに関する。
【背景技術】
【０００２】
船釣り等、一般に深場の魚層を対象とした魚釣りを行う場合、魚釣用電動リール（以下、「電動リール」という）が広く使用されている。
【０００３】
従来周知のように電動リールは、スプールモータの駆動でスプールを回転させて釣糸の巻取りを行うもので、電動リールには、特許文献１に開示されるようにスプールの糸巻胴部にスプールモータを内蔵した「スプールインタイプ」と、特許文献２に開示されるようにスプール前方のリール本体の枠体（フレーム）の側枠間にモータ収容部を設けて、該モータ収容部内にスプールモータを収容した「スプールアウトタイプ」とに分類されている。
【０００４】
しかし、スプールインタイプは、スプールの糸巻胴部にスプールモータを内蔵した構造上、糸巻胴部が大径となるため、所望の糸巻き容量を確保する場合にどうしてもスプールが大型化、つまりリール全体が大型化してしまい、手巻き感覚の小型電動リールを実現するには課題があった。
【０００５】
これに対し、スプールアウトタイプは、従来、デッドスペースとなっていたスプール前方の側枠間にスプールモータを配置したことで、スプールの大型化を避けることが可能となって、スプールインタイプに比しリール全体の小型化を図ることが可能である。
【０００６】
そして、従来、この種の電動リールには、正確な棚取りを行って釣果の向上を図るため、回転検出手段で検出されたスプール等の回転数を基に釣糸の糸長（繰出し量や巻取り量）を計測して、これをリール本体上部に設けた制御ボックスの操作パネル上の表示器に表示する糸長計測装置が装着されており、釣人は斯かる表示を基に、仕掛けを所定の棚位置まで繰り出すことができるようになっている。そして、表示器周辺の操作パネル上に、リセットスイッチや棚メモスイッチ等の各種スイッチが装着されている。
【特許文献１】特開平１１−２２５６３４号公報
【特許文献２】特開２００１−１７０４７号公報
【発明の開示】
【発明が解決しようとする課題】
【０００７】
ところで、実釣時に電動リールを保持する場合、手の親指は操作パネル上に載置されている。
【０００８】
しかし、既述したように操作パネル上には各種のスイッチが装着されているため、これらのスイッチが電動リールを保持する際に邪魔になり、また、操作パネル上の平面部は親指が滑り易くて安定性に欠けることもあって、電動リールを確実に保持し難い不具合があった。
【０００９】
また、従来、この種の電動リールには、スプールを巻取り駆動状態とスプールフリー状態とに切り換えるクラッチ機構がリール本体内に装着され、該クラッチ機構のクラッチレバー（クラッチ切換え部材）がハンドル側の側板に装着されていたが、電動リールを保持した状態でのクラッチレバーの操作が容易に行えない等の課題を残していた。
【００１０】
本発明は斯かる実情に鑑み案出されたもので、リール全体を保持し易く、また、保持した状態でクラッチ切換え部材の切換え操作が容易な電動リールを提供することを目的とする。
【課題を解決するための手段】
【００１１】
斯かる目的を達成するため、請求項１に係る発明は、リール本体の枠体の左右の側枠に取り付く側板間にスプールを回転自在に支持し、該スプールを巻取り駆動するスプールモータを、スプール前方の側枠間に設けたモータ収容部に収容すると共に、リール本体の上部に制御ボックスを設け、該制御ボックスの操作パネル上に表示器を備えた電動リールに於て、前記操作パネル上の表示器の後方に、リール本体を保持する手の指が載置できる凹状の指載置部を設けたことを特徴とする。
【００１２】
そして、請求項２に係る発明は、請求項１に記載の電動リールに於て、前記リール本体のスプール後方の側板間に、スプールへの巻取り動力伝達状態を切り換えるクラッチ機構のクラッチ切換え部材を、下方へ押圧操作可能に装着したことを特徴とする。
【発明の効果】
【００１３】
請求項１に係る発明によれば、実釣時に電動リールを保持する手の親指を指載置部に載置することで、電動リールを確実に保持することができる。
【００１４】
また、請求項２に係る発明によれば、電動リールを保持した状態で指載置部から親指をクラッチ切換え部材にずらしてこれを押圧操作すれば、クラッチ機構をクラッチＯＮからクラッチＯＦＦに切り換えることができるので、電動リールを保持した状態でのクラッチの切換え操作が容易となり、電動リールに於て、手巻き感覚の魚釣り操作が可能となる。
【発明を実施するための最良の形態】
【００１５】
以下、本発明の実施形態を図面に基づいて詳細に説明する。
【００１６】
図１乃至図３は請求項１及び請求項２に係る電動リールの一実施形態を示し、図１に於て、１はリール本体３の枠体、５，７は該枠体１の左右の側枠９，１１に取り付く側板で、両側板５，７間の図示しない周知の支持部に支持されたスプール軸（図３中、符号１３）を介してスプール１５が回転可能に支持されている。
【００１７】
スプール１５は、スプールモータ１７の駆動やハンドル１９の巻取り操作で回転して釣糸が巻回され、図２及び図３に示すようにスプールモータ１７は、スプール１５前方の側枠９，１１間に一体成形された略筒状のモータケース（モータ収容部）２１内に収容されている。
【００１８】
また、モータケース２１の周壁には、枠体１の底部に形成された脚部２３方向へ突出する厚肉部２５が両側枠９，１１間に亘って設けられている。そして、該厚肉部２５に、左右の側枠９，１１に開口するリード線収容孔２７がスプールモータ１７に沿って設けられており、後述する給電接続部２９から延びる２本のリード線３１，３３が、該リード線収容孔２７を挿通して一方の側板５側から他方の側板７側へ案内され、斯様に側板７側へ案内されたリード線３１，３３は、夫々、モータケース２１の図示しない蓋体を挿通してスプールモータ１７の端子に接続されている。
【００１９】
従って、斯かる構造により、脚部近傍の左右の側枠に透孔を設けて、両透孔にリード線挿通用の筒体を取り付けた特許文献２の電動リールに比し、筒体を取り付けるスペースが不要となってリール全体の上下方向の小型化が可能となる。
【００２０】
また、図２及び図３に示すように釣竿装着用の脚部２３は、リール本体の前後方向（釣竿の長手方向）に亘って設けられた従来の１本構造の脚部に代え、リール本体３の前後に分割して枠体１に一体成形された前側脚部２３ａと後側脚部２３ｂとで構成されており、斯様に脚部２３を前側脚部２３ａと後側脚部２３ｂとに分割してこれらの間に間隙３５を設けることで、スプール１５に巻回される釣糸の最大釣糸巻回面３７を該間隙３５内に設定でき、この結果、脚部を斯様に分割しない従来構造に比し、リール本体３に取り付けるスプール１５の位置を下げることが可能となって、リール全体の上下方向の高さを抑えることが可能となる。
【００２１】
そして、図１に示すようにスプールモータ１７の左モータ軸とスプール軸１３との間に、遊星歯車とこれに噛合する太陽歯車や内歯歯車等からなる遊星減速機構３９と、駆動ベルト４１を用いた動力伝達機構４３が順次装着されており、これらの遊星減速機構３９と動力伝達機構４３を介してスプールモータ１７の駆動力がスプール軸１３に伝達されるようになっている。
【００２２】
スプール軸１３はスプール１５の中央を貫通してその他端側が側板７内に突出し、その突出端に、スプール軸１３の回転力をスプール１５に伝達させる動力伝達機構４５や、スプール１５を釣糸巻取り状態（クラッチＯＮ）とスプールフリー状態（クラッチＯＦＦ）とに切り換えるクラッチ機構４７が装着されている。
【００２３】
そして、スプール１５後方の側枠９，１１間にクラッチレバー（クラッチ切換え部材）４９が下方向へ押圧操作可能に取り付けられており、該クラッチレバー４９の押圧操作で、これに連結されるクラッチ機構４７がクラッチＯＮからクラッチＯＦＦに切り換わるようになっている。また、このクラッチＯＦＦ状態でハンドル１９を巻取り方向へ回転させると、図示しない周知の復帰機構を介してクラッチ機構４７がクラッチＯＮ状態に復帰するようになっており、このようにクラッチ機構４７のクラッチＯＮ／ＯＦＦの切換えで、スプール１５が釣糸巻取り状態と釣糸繰出し状態とに切り換わって、スプール１５へのスプールモータ１７やハンドル１９の動力が伝達／遮断されるようになっている。
【００２４】
而して、スプールモータ１７は、特許第２９４５５３０号公報で開示された電動リールと同様、側板７の上部前方に装着したレバー形状のモータ出力調節体（以下、「パワーレバー」という）５１や、後述する寸動スイッチ５３の操作で駆動するように構成されており、パワーレバー５１はハンドル１９と同方向へ回転操作可能に取り付けられている。
【００２５】
そして、図１及び図３に示すようにリール本体３の上部には、マイクロコンピュータとその他の電装部品からなる制御回路等が収容された制御ボックス５５が側板５，７間に設けられており、前記パワーレバー５１の操作で、マイクロコンピュータがスプールモータ１７のモータ出力をモータ停止状態から最大値（０〜１００％）まで連続的に増減して、スプール１５の巻取り速度を制御するようになっている。
【００２６】
また、図１中、５７はスプール１５の回転方向と回転数を検出する回転検出手段で、該回転検出手段５７は、反ハンドル側の枠体１に装着された一対の磁気センサ５９と、これに対向してスプール１５の一端側周縁部に固着された複数のマグネット６１とで構成されており、磁気センサ５９はマイクロコンピュータのＣＰＵに接続されている。
【００２７】
而して、マイクロコンピュータのＲＯＭには、特開平５−１０３５６７号公報で開示された電動リールと同様、糸長計測基礎データが入力された糸長計測プログラムが組み込まれており、ＣＰＵは、磁気センサ５９から出力されるスプール１５の正転／逆転の判定信号を取り込んで釣糸の繰出しか巻取りかを判定すると共に、磁気センサ５９から取り込むスプール１５の回転パルス信号をカウントし、この計数値を基に前記糸長計測プログラムによって糸長（釣糸の繰出し量）を求めるようになっている。
【００２８】
そして、ＣＰＵは、表示駆動回路を介して糸長を制御ボックス５５上部の操作パネル６１に設けた液晶表示器（以下、「表示器」という）６３に表示させるようになっており、釣人は斯かる表示を確認し乍ら、所定の水深に仕掛けを繰り出したり、ハンドル１９やパワーレバー５１，寸動スイッチ５３の操作で釣糸を巻き取ることができるようになっている。
【００２９】
また、操作パネル６１上には、表示器６３に隣接して上下方向に平面視円形状のリセットスイッチ６５と棚メモスイッチ６７が、リール本体３の両側板５，７間の中央よりハンドル１９側に偏寄して配設されると共に、両スイッチ６５，６７にオフセットさせて既述した寸動スイッチ（モータ駆動ＯＮ／ＯＦＦスイッチで、押している時だけモータＯＮ、離すとモータＯＦＦとなる）５３が表示器６３の斜め後方のハンドル１９側に設けられており、これらはマイクロコンピュータに接続されている。
【００３０】
そして、寸動スイッチ５３の操作でスプールモータ１７が駆動して、微妙な棚位置調整やシャクリ操作ができるようになっているが、寸動スイッチ５３とパワーレバー５１は別回路となっており、パワーレバー５１の操作中に寸動スイッチ５３を操作すると、スプールモータ１７は寸動スイッチ５３の押圧操作時のみ駆動し、また、寸動スイッチ５３からパワーレバー５１の操作に切り換える際には、安全性を考慮して一度パワーレバー５１をモータ出力「０」の位置まで戻さなければ、パワーレバー５１によるスプールモータ１７の駆動ができないように構成されている。
【００３１】
また、図１に示すように寸動スイッチ５３に隣接して表示器６３後方の操作パネル６１上には、凹状の指載置部６９が左右方向に設けられており、指載置部６９の側板５側は大きく平面視円形状に広がり、また、指載置部６９の底部は親指の指先に合わせて略弧状に窪んだ形状とされている。そして、指載置部６９の側板７側に前記寸動スイッチ５３が隣接して配設されており、このように表示器６３後方の操作パネル４７上に親指の指載置部６９を設けたことで、実釣時に本実施形態に係る電動リール７１の確実な握持が可能となる。
【００３２】
更に、上述の如く指載置部６９の側板７側に寸動スイッチ５３を隣接して配設した構造上、指載置部６９に載置した親指による寸動スイッチ５３の誤操作の虞があるため、寸動スイッチ５３を囲繞する環状の隆起部７３が、周辺の操作パネル６１より上方へ一体に突設されており、指載置部６９に載置した親指が側板７側にズレたときに、親指が隆起部７３の外周に接触して釣人にその旨を気付かせると同時に、親指による寸動スイッチ５３の誤操作を隆起部７３が積極的に防止するようになっている。
【００３３】
また、本実施形態は、制御ボックス５５上部の操作パネル６１上に表示器６３と、従来に比し数の少ない僅かに３つの機能スイッチ（寸動スイッチ５３，リセットスイッチ６５，棚メモスイッチ６７）を配置したため、従来に比し操作パネル６１上の省スペース化が可能である。
【００３４】
そこで、図１に示すように本実施形態は、制御ボックス５５の周辺部５５ａを斜め上方に傾斜させて（所謂、肉を取って）操作パネル６１の省スペース化を図ることで、制御ボックス５５の小型化，軽量化を図っている。
【００３５】
更にまた、既述したリセットスイッチ６５と棚メモスイッチ６７の形状に対応させて、制御ボックス５５に操作パネル６１と面一な半円形状の突起７５，７７をハンドル１９側に突設させており、斯かる構造によって、操作時にリセットスイッチ６５や棚メモスイッチ６７を視認しなくても突起７５，７７の手触で両スイッチ６５，６７の位置が把握できると共に、突起７５，７７を設けたことで、両スイッチ６５，６７の周辺部に面が確保されて操作時の感触が良好となっている。
【００３６】
そして、図１乃至図３に示すように反ハンドル側の側板５には、電動リール７１を握持した手の邪魔にならないように下方へ突出する突出部７９がスプール１５前方の下部に突設されており、該突出部７９の先端に給電コードを接続する給電接続部２９が装着されている。そして、従来と同様、該給電接続部２９にコネクタを介して給電コードが接続され、この給電コードをバッテリ等の電源に接続することでスプールモータ１７等に給電されるようになっている。
【００３７】
その他、図１中、８１はスプール１５とスプールモータ１７との間に配置したレベルワインド機構で、従来、この種のレベルワインド機構は、スプールより前方でスプールモータよりも上方に配置されているが、本実施形態は、斯様にレベルワインド機構８１をスプール１５とスプールモータ１７との間に配置することで、上下方向の高さを抑えて電動リール７１の小型化を図っている。
【００３８】
本実施形態に係る電動リール７１はこのように構成されているから、電動リール７１の製造に当たり、給電接続部２９から延びる２本のリード線３１，３３をリード線収容孔２７に挿通させることで、リード線３１，３３が一方の側板５側から他方の側板７側へ案内される。
【００３９】
一方、実釣時に当たり、給電接続部２９にコネクタを介して給電コードを接続し、給電コードをバッテリ等の電源に接続することでスプールモータ１７等に給電される。そして、クラッチレバー４９のクラッチＯＦＦ操作で釣糸がスプール１５から繰り出され、パワーレバー５１によるスプールモータ１７の巻取り駆動やハンドル１９の巻取り操作でスプール１５に釣糸が巻回され、更に寸動スイッチ５３の操作で微妙な棚位置調整やシャクリ操作が行われ、また、釣糸の繰出しや巻取りに伴い、回転検出手段５７の検出値を基に糸長が計測されて表示器６３に糸長が表示される。
【００４０】
そして、実釣時に釣人は電動リール７１と釣竿を保持して魚釣り操作を行うが、本実施形態は、
[1] モータケース２１の周壁にリード線収容孔２７を設けることで、特許文献２の電動リールの如き筒体を取り付けるスペースを不要とし、
[2] 釣竿装着用の脚部２３を、リール本体３の前後に分割した前側脚部２３ａと後側脚部２３ｂとで構成することにより、リール本体３に取り付くスプール１５の取付位置を下げ、
[3] 従来、スプールより前方でスプールモータより上方に配置されていたレベルワインド機構８１をスプール１５とスプールモータ１７との間に配置し、
[4] 制御ボックス５５の周辺部５５ａの肉を取って、制御ボックス５５の小型化，軽量化を図り、
[5] 反ハンドル側の側板５のスプール１５前方の下部に、電動リール７１を握持した手の邪魔にならないように下方へ突出する突出部７９を設けて、該突出部７９の先端に給電接続部２９を装着したことで、
従来に比し電動リール７１の上下方向、つまりリール全体の高さを低く抑えて電動リール７１の小型化が可能となる。
【００４１】
従って、電動リール７１の小型化により、電動リール７１を実使用する際に保持し易くなって魚釣り操作性が向上し、長時間に亘って電動リール７１を保持する際の疲労が軽減される。
【００４２】
また、小型化によって電動リール７１の十分な保持が可能となるため、魚信感知の確実性が増すと共に、スプール１５への状況に応じたサミング操作も容易となる。
【００４３】
加えて、本実施形態は、
[6] スプール１５後方の側枠９，１１間に、下方向へ押圧操作可能にクラッチレバー４９を取り付け、
[7] 寸動スイッチ５３に隣接して表示器６３後方の操作パネル６１上に、凹状の指載置部６９を設けたことで、
実釣時に、電動リール７１を保持する手の親指を指載置部６９に載置することで、電動リール７１の小型化と相俟って電動リール７１をより確実に保持することができ、また、電動リール７１を保持した状態で指載置部６９から親指をクラッチレバー４９にずらしてこれを押圧操作すれば、クラッチ機構４７がクラッチＯＮからクラッチＯＦＦに切り換わることとなる。
【００４４】
従って、本実施形態によれば、電動リール７１を保持した状態でのクラッチの切換え操作が容易となり、電動リール７１に於て、手巻き感覚の魚釣り操作が可能となると共に、電動リール７１を保持する手の親指を無理なく指載置部６９に載置できるため、電動リール７１を容易且つ確実に保持できる利点を有する。
【００４５】
更にまた、本実施形態は、
[8] リセットスイッチ６５と棚メモスイッチ６７の形状に対応させて、制御ボックス５５に半円形状の突起７５，７７をハンドル１９側に突設させたことで、
操作時にリセットスイッチ６５や棚メモスイッチ６７を視認しなくても突起７５，７７の手触で両スイッチ６５，６７の位置が把握できると共に、突起７５，７７を設けたことで、両スイッチ６５，６７の周辺部に面が確保されて操作時の感触が良好となる利点を有する。
【図面の簡単な説明】
【００４６】
【図１】請求項１及び請求項２の一実施形態に係る電動リールの平面図である。
【図２】図１に示す電動リールの底面図である。
【図３】図１に示す電動リールの断面図である。
【符号の説明】
【００４７】
１  枠体
３  リール本体
５，７  側板
９，１１  側枠
１３  スプール軸
１５  スプール
１７  スプールモータ
１９ ハンドル
２１  モータケース
２３  脚部
２３ａ  前側脚部
２３ｂ  後側脚部
２７  リード線収容孔
２９  給電接続部
３１，３３  リード線
３７  最大釣糸回面
４７  クラッチ機構
４９  クラッチレバー
５１  パワーレバー
５３  寸動スイッチ
５５  制御ボックス
５７  回転検出手段
６１  操作パネル
６３  表示器
６５  リセットスイッチ
６７  棚メモスイッチ
６９  指載置部
７１  電動リール
７３  隆起部
７５，７７  突起
７９  突出部
８１  レベルワインド機構
【図１】
2008079621.tif 000003
【図２】
2008079621.tif 000004
【図３】
2008079621.tif 000005